【事件の表示】
　平成　８年特許願第３３８６０８号「遊技機製造の釘打ち込まれ形態修正装置」拒絶査定不服審判事件〔平成１０年　６月３０日出願公開、特開平１０−１７４７４４〕について、次のとおり審決する。
【結　論】
　本件審判の請求は、成り立たない。
【理　由】
１．手続きの経緯
　本願は平成８年１２月１８日に出願されたものであって、平成１６年７月２２日付の拒絶理由が通知され、平成１６年９月２日付で意見および手続き補正がなされ、平成１７年１月６日付の拒絶査定がなされたのに対して、平成１７年２月１０日付で審判請求がなされ、平成１７年３月７日付で手続き補正がなされたものである。
　　　　　　　　　　　　　　　　　　　　　　　　　　　　　　　　
２．平成１７年３月７日付の手続き補正についての補正却下の決定
［補正却下の結論］
　平成１７年３月７日付の手続き補正を却下する。
　　　　　　　　　　　　　　　　　　　　　　　　　　　　　　　　
［理由］
（１）補正後の本願発明
　平成１７年３月７日付の手続補正により補正された特許請求の範囲の請求項１に係る発明は、下記のとおりに特定されるものである。
　　　　　　　　　　　　　　　　　　　　　　　　　　　　　　　　　
　「釘の打ち込まれた遊技盤を位置決め搭載するテーブルと、
　テーブルより上方に設置されかつテーブルに位置決め搭載された遊技盤の釘の打ち込まれ形態を計測した電気的な計測データーを出力するセンサーヘッドと、
　テーブルに位置決め搭載された遊技盤の機種に対応する釘打データーによる釘の打込位置と順序とに従ってテーブルとセンサーヘッドとを平面内で相対的に平行移動してセンサーヘッドをテーブルに位置決め搭載された遊技盤の所定位置の上方に停止する毎に検査開始をセンサーヘッドに指示する検査指令部と、
　検査指令部から指示された検査開示に伴いセンサーヘッドから出力された計測データーを予め設定された基準データーと電気的に比較して釘の打ち込まれ形態に曲がりや打ち込みミスが有るか無いかを判別すると共に計測データーが基準データーの許容範囲外である際に形態異常信号を出力する形態判定部と、
　形態判定部から出力された形態異常信号に伴い釘打データーによる釘の打込位置と順序に基づき形態異常信号の発生の原因となった釘の打込位置とその計測形態とを対応付けた検査結果データーを記憶する形態履歴部と、
　形態履歴部に記憶された釘の打込位置とその計測形態とを対応付けた検査結果データーを曲がりや打ち込みミスを修正するために
人に認識可能な形態で
　を備えたことを特徴とする遊技機製造の釘打ち込まれ形態修正装置。」（以下、「本願補正発明」という。）
　　　　　　　　　　　　　　　　　　　　　　　　　　
　平成１７年３月７日付の手続補正は、平成１６年９月２日付の手続補正により補正された特許請求の範囲に記載された発明の出力手段に、「人に認識可能な形態で」なる構成を付加するものであって、平成１６年９月２日付の手続補正により補正された請求項１に記載された発明を特定するための事項に相当し、特許請求の範囲を減縮するものであるから、平成１８年改正前特許法第１７条の２第４項第２号の規定に適合している。
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　　　　　　
（２）引用例について
　原査定の拒絶理由に引用された特開平７−２８９６９６号公報（以下、「引用例」という。）には、以下の技術事項が図面とともに記載されている。
　　　　　　　　　　　　　　　　　　　　　　　　　　　　　　　　
・記載事項１
　「【０００８】すなわちこの発明は、弾球遊技機に用いられ、表面に複数本の釘が立植された遊技盤を製造するための方法であって、前記遊技盤を搬送するためのメイン移送ラインと、前記メイン移送ラインに沿って配置され、前記釘位置を測定し、前記釘位置の良否を判定するための測定及び良否判定手段と、前記補正を必要とする前記遊技盤を搬送するための補正ラインと、前記測定手段の測定結果で補正を必要とする前記遊技盤のみを選択して前記メイン移送ラインから前記補正ラインに選択して搬送するための選択手段とからなる遊技盤の釘位置調整自動化ラインである。」
　　　　　　　　　　　　　　　　　　　　　　　　　　　　　　
・記載事項２
　「【００１１】
【実施例】この発明の実施例を図面を参照しながら以下に説明する。図１は遊技盤の釘位置調整自動化ラインの平面図である。メイン移送ライン１はローラチェーンコンベヤで構成された遊技盤Ａの移送ラインである。遊技盤Ａはローラチェーンコンベヤ上に搭載されて移送されるが、メイン移送ライン１上に配置されたストッパ（図示せず）によって止められ所望の位置に止めることができる。」
　　　　　　　　　　　　　　　　　　　　　　　　　　　　　　　
・記載事項３
　「【００１４】メイン移送ライン１の上流側には遊技盤Ａに打込まれた釘の位置を検出し、釘位置の良否を判断するための２台の釘頭位置自動検査装置１０，１１が配置されている。遊技盤Ａに付されたバーコードをＢＣＲ（バーコードリーダ）１２で読み込まれる。遊技盤Ａは、釘頭位置自動検査装置１０，１１で補正の必要があるストッパ１３で止められる。」
　　　　　　　　　　　　　　　　　　　　　　　　　　　　　　　　
・記載事項４
　「【００２５】
釘頭位置自動検査装置１０，１１
釘頭位置自動検査装置１０，１１は概略次のような構造、機能を備えている。図５は釘頭位置自動検査装置１０の平面図である。メインラインフレーム３０にＸ軸方向駆動手段であるＸ軸方向送り機構５１を備えている。Ｘ軸方向送り機構５１は、Ｘ軸サーボモータ（図示せず）で回転駆動される送りねじ及びこれにねじ込まれたナットからなる公知の送り機構である。Ｘ軸方向送り機構５１により、Ｘ軸方向移動台５２がＸ軸方向に往復移動される。Ｘ軸方向移動台５２には、Ｙ軸線方向にクロスレール５４の一端が固定されている。
【００２６】クロスレール５４には測定ヘッド５５がＹ軸線方向に往復移動可能にクロスレール５４に案内され設けられている。測定ヘッド５５の駆動手段として、クロスレール５４に設けられているＹ軸方向送り駆動手段はＸ軸方向と同様にＹ軸サーボモータによって駆動される送りねじ及びこれにねじ込まれたナットからなる送り機構である。測定ヘッド５５はＸ，Ｙ直交座標系で位置決めユニットを備えたシーケンサ５３で位置制御がされ所望のＸ，Ｙ平面位置に走行し、かつ位置決めされる。」
　　　　　　　　　　　　　　　　　　　　　　　　　　　　　　　　
・記載事項５
　「【００２７】図６は、釘頭位置検査制御装置６０の機能ブロック図である。釘頭位置検査制御装置６０は遊技盤Ａに打込まれた釘をＣＣＤカメラ６４で撮影して、その位置を測定し、その測定され位置が設計された位置から許容範囲か否かを判断するものである。ＣＰＵ６１は釘頭位置検査制御装置６０全体を統括制御する中央処理装置である。ＣＰＵ６１にはバス６２が接続され、インターフェイス６３を介してＣＣＤカメラ６４を介して接続されている。
【００２８】ＣＣＤカメラ６４は、その外周に自動照度コントロール機能付の環状蛍光燈を有する公知のタイプのものである（例えば、特開平３−２９５５７６号公報参照）。環状蛍光燈で釘の頭に照明すると、釘の頭は半球状であるから環状の反射光ができる。この環状の反射光の座標位置を検知して釘頭の位置を検知する。
【００２９】しきい値メモリ６５は、検出された環状の反射光の形状を正確に特定するために２値化し、信号レベルを決めるためのしきい値を設定するためのものである。照明の強度などにより信号レベルを変える必要があるが、信号レベルは端末のキーボード６８から適宜変更できる。ウィンドウ位置設定メモリ６６は、釘頭位置を測定するときの画像視野を決定するための座標位置設定用メモリである。」
　　　　　　　　　　　　　　　　　　　　　　　　　　　　　　
・記載事項６
　「【００３０】本例では遊技盤Ａの全釘を測定するのに、そのＸ，Ｙ平面に沿って１２回移動して、すなわち画像視野を１２分割して検査する。釘頭中心位置決定プログラムメモリ６７は、画像視野内の２値化された釘頭の環状画像を代数学的に計算処理してその中心を求めるためのプログラムが記憶されている。釘頭の中心位置を求める方法は種々あるが、例えば、面積中心を求めこれを釘頭の中心とする方法である。また、このプログラムは、遊技盤Ａの位置決めが不正確なときに表示装置に表示される釘頭の位置がズレるとき、Ｘ軸方向、Ｙ軸方向及び回転方向にそれぞれ座標変換して原点を自動補正するためのプログラムも備えている。
【００３１】キーボード６８は、各種データ、プログラムの入力を行うものであり、インターフェイス６９を介して各種メモリにデータ、プログラムを入力できる。ＣＲＴ７０は、釘頭の生画像、２値画像などを表示するための表示装置であり、インターフェイス７１を介してバス６２に接続されている。釘位置記憶メモリ７２は、設計上の遊技盤Ａの釘の打込み位置が記憶保持されている。」
　　　　　　　　　　　　　　　　　　　　　　　　　　　　　　　
・記載事項７
　「【００３２】良否判定プログラムメモリ７３は、計測された釘位置と釘位置記憶メモリ７２に記憶された設計上の釘位置との誤差を計算して、予め決められた許容誤差範囲であるか否かを判定するためのプログラムである。許容誤差を越えた誤差が発生すると、ＣＰＵ６１は、インターフェイス７５を介してライン移送制御装置２０に、その遊技盤Ａのバーコード番号、誤差が発生した釘の位置、誤差量を送信する。
【００３３】釘頭位置許容誤差設定メモリ７４は、遊技盤Ａに打込まれた釘の釘頭の許容される位置誤差の範囲を設定するためのメモリである。釘１本単位に任意の許容誤差を設定できる。
【００３４】プログラマブルコントローラ（ＰＣ）８１は位置制御機能付のシーケンサであり、Ｘ軸サーボモータ８２、Ｙ軸サーボモータ８３を制御してＣＣＤカメラ６４を設定された位置に検査のために位置決めする。
【００３５】釘頭位置補正装置１５
釘頭位置補正装置１５は、基本構造及びは釘頭位置自動検査装置１０，１１と同一である。釘頭位置検査制御装置６０に釘頭修正用の修正工具８９がＣＣＤカメラ６４と平行して配置されている。図７は釘頭位置補正装置１５の釘頭位置検査・補正制御装置９０の機能ブロック図である。前記した釘頭位置検査制御装置６０の機能に修正工具８９の駆動のための機能が付加されている。」
　　　　　　　　　　　　　　　　　　　　　　　　　　　　
・記載事項８
　「【００３７】
作動
　以下、前記実施例の遊技盤の釘位置調整自動化ラインの作動の概要を説明する。メイン移送ライン１の上流で遊技盤Ａに釘が釘打ち手段で打ち込まれる。メイン移送ライン１のローラーコンベヤ上の３１ａ，３１ｂに搭載されて遊技盤Ａが移送され、釘頭位置自動検査装置１０又は１１のストッパ（図示せず）に止められて停止され、かつ位置決めピンで所定の位置に位置決めされる。遊技盤Ａに印刷されたバーコード番号がバーコードリーダー（図示せず）で読み込まれる。
【００３８】この遊技盤Ａが位置決めされるとＸ軸及びＹ軸方向に測定ヘッド５５が作動され、所定の測定位置に移動される。この測定位置は、ウィンドウ位置設定メモリ６６に予め記憶されている位置に順次移動される。直ちに釘頭位置はＣＣＤカメラ６４で撮影され、しきい値メモリ６５のレベルで２値化され、その２値化された画像から釘頭位置は釘頭中心位置決定プログラムメモリ６７内に記憶されているプログラムにより釘頭の中心位置が計算される。」
　　　　　　　　　　　　　　　　　　　　　　　　　　　　
・記載事項９
　「【００３９】釘頭中心位置が決定されると、良否判定プログラム７３内のプログラムは釘位置記憶メモリ７２に予め記憶されている設計値と測定された釘頭位置と比較し、その誤差を計算する。更に、良否判定プログラム７３は、計算された誤差が釘頭位置許容誤差設定メモリ７４に記憶されている設定値と比較してこれが許容値内か否かを判定する。これが許容誤差でないときは、この遊技盤Ａは位置不良である旨のフラッグを立てて、インターフェイス７５を介してライン制御装置２０にその遊技盤のバーコード番号と位置不良である旨のフラッグ信号及びその誤差データを送る。
【００４０】この測定後、再び遊技盤Ａはローラチェーンコンベヤで乗せられ搬送される。この搬送中にメイン移送ライン１に配置されたＢＣＲ（バーコードリーダー）１２でバーコードが読み込まれ、不良品か否かライン制御装置２０が判断する。ライン制御装置２０は、シーケンサ５３からの信号で不良品か否かを判定し、不良品であれば直ちにストッパ１３のシリンダ４６を作動させてローラ５０を上昇させて遊技盤Ａの確認を止める。
【００４１】この後、シリンダ３４が作動しローラ４１を上昇させて遊技盤Ａをコンベヤ４に移動させる。さらに、ストッパ１４、横送りシリンダ５を作動させて遊技盤Ａをローラチェーンコンベヤ６に送り、釘検査・補正装置１５で停止させる。バーコードリーダーでバーコード番号を読取り、その遊技盤Ａを特定する。この後再度釘頭位置が前記と同様に検査される。このときの釘の位置データは、ライン制御装置２０を介して受けとる。図６に示す釘頭位置検査・補正制御装置９０は、不良データメモリ９１内のデータを元に釘頭位置補正プログラム９２内のプログラムにより釘の頭を修正工具８９により保持して予め決められた量だけ移動させて釘頭位置を補正する。」
　　　　　　　　　　　　　　　　　　　　　　　　　　　　　
・記載事項１０
　「【００４３】［その他の実施例］前記実施例では、補正ライン３で釘頭補正装置１５で釘位置を補正しているが、前記説明で理解されるように作業者がマニュアルで補正しても良い。前記実施例では釘頭位置の検出にＣＣＤカメラ６４を用いたがこの測定方法でなくても、釘の側部に触針を接触させて釘の位置を検出する方法でも良い。前記実施例では釘頭位置補正装置１５は１台のみであったが複数台備えても良い。」
　　　　　　　　　　　　　　　　　　　　　　　　　　　　　
　以上の記載事項１〜１０及び図１〜図７によれば、引用例には以下の発明が記載されていると認められる。（以下、「引用例発明」という。）
　　　　　　　　　　　　　　　　　　　　　　　　　　　　　
　「釘の打ち込まれた遊技盤Ａを位置決めしたローラチェーンコンベヤ４と、
　ローラチェーンコンベヤ４より上方に設置されかつローラチェーンコンベヤ４に位置決めした遊技盤Ａの釘頭位置を測定する測定ヘッド５５と、
　ローラチェーンコンベヤ４に位置決めした遊技盤Ａの釘位置記憶メモリ７２に予め記憶されている設計値とに従ってローラチェーンコンベヤ４に対して測定ヘッド５５とをＸ軸およびＹ軸方向に作動して測定ヘッド５５をローラチェーンコンベヤ４に位置決めした遊技盤Ａの所定の測定位置において釘頭位置を測定し、
　測定ヘッド５５で測定された釘頭位置を予め記憶されている設計位置とを比較して誤差を計算し、計算した誤差が許容値内か否かを判定し、誤差が許容誤差内でないときは、遊技盤Ａが不良である旨のフラッグを立て、
　フラッグ信号および誤差データをライン制御装置２０および釘頭位置自動検査・補正制御装置９０に送り、
　測定された釘頭位置を予め記憶されている設計位置とを比較して求めた誤差データを釘頭の生画像と２値画像として表示するＣＲＴ７０と、
　を備えた釘頭位置自動調整自動化ライン。」
　　　　　　　　　　　　　　　　　　　　　　　　　　　　　　
（３）対比
　引用例発明と本願補正発明を対比すると、引用例発明の「遊技盤Ａ」は本願補正発明の「遊技盤」に相当し、以下同様に、「位置決めした」は「位置決め搭載された」に、「ローラチェーンコンベヤ４」は「テーブル」に、「釘頭位置を測定する」は「釘の打ち込まれ形態を計測し」に、「測定ヘッド５５」は「センサーヘッド」に、「測定ヘッド５５で」は「センサーヘッドから」に、「測定された釘頭位置」は「出力された計測データー」に、「予め記憶されている設計位置」は「予め設定された基準データー」に、「ＣＲＴ７０」は「出力手段」にそれぞれ相当している。
　　　　　　　　　　　　　　　　　　　　　　　　　　　　　　　
　そして、引用例発明については、以下の実質的具備事項と共通事項を備えているということができる。
　　　　　　　　　　　　　　　　　　　　　　　　　　　　　　　　
１）実質的具備事項１
　引用例の記載事項４〜６の記載と図６、図７に基づけば、測定ヘッド５５によって遊技盤Ａの釘頭位置を測定したデータは、釘頭位置自動検査制御装置６０において、予め定められた設計値と測定値を比較し、その誤差をＣＲＴ７０に表示したり、または補正制御装置９０において釘頭位置の補正するために送られているから、測定ヘッド５５は、釘頭位置を測定したデータを電気的な形態で出力していることは明らかである。
　そして、引用例発明の「測定ヘッド５５」は「センサーヘッド」に相当していることは、上記（３）対比の柱書き部分において示したとおりであり、「釘頭位置を測定したデータ」を「釘の打ち込まれ形態を計測した電気的な計測データー」と言い換えできることは制御装置を用いた計測技術分野の技術常識からみて明らかなことである。
　したがって、引用例発明は、「釘の打ち込まれ形態を計測した電気的な計測データーを出力するセンサーヘッド」を実質的に具備しているということができる。
　　　　　　　　　　　　　　　　　　　　　　　　　　　　　　　　
２）実質的具備事項２
　引用例の記載事項６の「【００３０】本例では遊技盤Ａの全釘を測定するのに、そのＸ，Ｙ平面に沿って１２回移動して、すなわち画像視野を１２分割して検査する。釘頭中心位置決定プログラムメモリ６７は、画像視野内の２値化された釘頭の環状画像を代数学的に計算処理してその中心を求めるためのプログラムが記憶されている。・・・【００３１】・・・ＣＲＴ７０は、釘頭の生画像、２値画像などを表示するための表示装置であり、インターフェイス７１を介してバス６２に接続されている。釘位置記憶メモリ７２は、設計上の遊技盤Ａの釘の打込み位置が記憶保持されている。」なる記載に基づけば、測定ヘッド５５は、１２区画に分けて測定を行うこと、釘位置記憶メモリ７２に予め記憶されている設計値とは、遊技盤毎に相違する釘の位置情報であって、ＣＣＤカメラ６４の撮影により遊技盤Ａに打ち込まれた釘の位置を測定し、この測定値と記憶保持された釘位置情報およびプログラムに基づいて、遊技盤に打ち込まれている釘の釘頭の中央位置を求めていることは明らかであるから、引用例発明の「遊技盤Ａの釘位置記憶メモリ７２に予め記憶されている設計値とに従って」は、「遊技盤の機種に対応する釘打データーによる釘の打込位置と順序とに従って」と言い換えることができるとともに、ローラチェーンコンベヤ４に対して測定ヘッド５５がＸ軸およびＹ軸方向に作動するものであって、ローラチェーンコンベア４と測定ヘッド５５の相対的な移動に他ならないから、引用例発明の「ローラチェーンコンベヤ４に対して測定ヘッド５５とをＸ軸およびＹ軸方向に作動して」は、引用例発明の「ローラチェーンコンベヤ４に対して測定ヘッド５５とをＸ軸およびＹ軸方向に作動して」は、「テーブルとセンサーヘッドとを平面内で相対的に平行移動して」と言い換えできることも明らかなことである。
　さらに、釘頭位置自動調整自動化ラインの釘頭位置自動検査制御装置１０は、予め記憶されている設計値およびプログラムに基づいて、遊技盤Ａに打ち込まれた釘頭位置を測定しているのであるから、釘頭位置自動調整自動化ラインの釘頭位置自動検査制御装置１０は、「所定位置の上方に停止する毎に検査の開始を指示する検査指令部を有すると共に、その検査指令部から指示された検査開始に伴って釘頭位置の検査を行う制御をなしている」ことは、制御技術分野における自明な技術事項にすぎない。
　そして、引用例発明の「ローラチェーンコンベヤ４」「位置決めした」「遊技盤Ａ」「測定ヘッド」は、本願補正発明の「テーブル」「位置決め搭載された」「遊技盤」「センサーヘッド」に相当していることは上記（３）対比の柱書きに示したとおりである。
　そうすると、引用例発明の「ローラチェーンコンベヤ４に位置決めした遊技盤Ａの釘位置記憶メモリ７２に予め記憶されている設計値とに従ってローラチェーンコンベヤ４に対して測定ヘッド５５とをＸ軸およびＹ軸方向に作動して測定ヘッド５５をローラチェーンコンベヤ４に位置決めした遊技盤Ａの所定の測定位置において釘頭位置を測定し、」なる記載は、「テーブルに位置決め搭載された遊技盤の機種に対応する釘打データーによる釘の打込位置と順序とに従ってテーブルとセンサーヘッドとを平面内で相対的に平行移動してセンサーヘッドをテーブルに位置決め搭載された遊技盤の所定位置の上方に停止する毎に検査開始をセンサーヘッドに指示する検査指令部」と言い換えることができるので、そのような構成を実質的に具備しているということができる。
　　　　　　　　　　　　　　　　　　　　　　　　　　　　　　　　　　
３）実質的具備事項３　
　引用例の記載事項５の「図６は、釘頭位置検査制御装置６０の機能ブロック図である。釘頭位置検査制御装置６０は遊技盤Ａに打込まれた釘をＣＣＤカメラ６４で撮影して、その位置を測定し、その測定され位置が設計された位置から許容範囲か否かを判断するものである。ＣＰＵ６１は釘頭位置検査制御装置６０全体を統括制御する中央処理装置である。ＣＰＵ６１にはバス６２が接続され、インターフェイス６３を介してＣＣＤカメラ６４を介して接続されている。・・・」なる記載と同記載事項９の「【００３９】釘頭中心位置が決定されると、良否判定プログラム７３内のプログラムは釘位置記憶メモリ７２に予め記憶されている設計値と測定された釘頭位置と比較し、その誤差を計算する。更に、良否判定プログラム７３は、計算された誤差が釘頭位置許容誤差設定メモリ７４に記憶されている設定値と比較してこれが許容値内か否かを判定する。これが許容誤差でないときは、この遊技盤Ａは位置不良である旨のフラッグを立てて、インターフェイス７５を介してライン制御装置２０にその遊技盤のバーコード番号と位置不良である旨のフラッグ信号及びその誤差データを送る。・・・」なる記載に基づけば、測定ヘッド５５で測定された釘頭位置を予め記憶されている設計位置とを比較して誤差を計算し、計算した誤差が許容値内か否かを判定し、誤差が許容誤差内でないときは、遊技盤Ａが不良である旨のフラッグを立て、フラッグ信号および誤差データを自動調整自動化ラインのライン制御装置２０およびライン制御装置２０を介して釘頭位置釘頭位置自動検査・補正制御装置９０に送っていることは明らかであって、上記実質的具備事項２において示したように、引用例発明は、検査指令部を実質的に有している。
　また、引用例発明の「測定ヘッド５５で測定された釘頭位置を予め記憶されている設計位置とを比較して誤差を計算し、計算した誤差が許容値内か否かを判定すること」とは、補修の技術的意義からみて、本願補正発明の「釘の打ち込まれ形態に曲がりや打ち込みミスが有るか無いかを判別すること」に相当し、引用例発明において「誤差が許容誤差内でないとき」とは、本願補正発明の「計測データーが基準データーの許容範囲外である際に」に相当し、「遊技盤Ａが不良である旨のフラッグを立て、フラッグ信号および誤差データをライン制御装置２０および釘頭位置自動検査・補正制御装置９０に送っていること」とは、本願補正発明の「形態異常信号を出力することができる機能を有する形態判定部を有していること」に相当していることは、明らかである。
　そうすると、引用例発明は、「検査指令部から指示された検査開示に伴いセンサーヘッドから出力された計測データーを予め設定された基準データーと電気的に比較して釘の打ち込まれ形態に曲がりや打ち込みミスが有るか無いかを判別すると共に計測データーが基準データーの許容範囲外である際に形態異常信号を出力する形態判定部」なる構成を実質的に具備しているということができる。
　　　　　　　　　　　　　　　　　　　　　　　　　　
４）実質的具備事項４
　引用例の記載事項９の「【００３９】・・・【００４１】・・・この後再度釘頭位置が前記と同様に検査される。このときの釘の位置データは、ライン制御装置２０を介して受けとる。図６に示す釘頭位置検査・補正制御装置９０は、不良データメモリ９１内のデータを元に釘頭位置補正プログラム９２内のプログラムにより釘の頭を修正工具８９により保持して予め決められた量だけ移動させて釘頭位置を補正する。」なる記載および図１、図６並びに釘頭補正装置１５による補正は、予め定められた釘頭の設計位置と計測された釘頭位置の誤差データに基づいて行われることに基づけば、不良データメモリー９１は、不良データを用いて補正を実行し得る形態でデータを記憶していると解されるから、不良データメモリー９１は、釘の打込位置とその計測形態に対応付けた不良な検査結果に関するデータを記憶している記憶手段ということができる。
　また、形態判定部を引用例発明が実質的に具備していることは上記実質的具備事項３において示したとおりである。
　そうすると、引用例発明は、「形態判定部から出力された形態異常信号に伴い、釘打データーによる釘の打込位置と順序に基づき、形態異常信号の発生の原因となった釘の打込位置とその計測形態とを対応付けた検査結果データーを記憶し、」なる構成を実質的に具備しているということができる。
　　　　　　　　　　　　　　　　　　　　　　　　　　　　　　　　
５）実質的具備事項５
　引用例の記載事項６の「【００３０】・・・【００３１】・・・ＣＲＴ７０は、釘頭の生画像、２値画像などを表示するための表示装置であり、インターフェイス７１を介してバス６２に接続されている。・・・」なる記載および図６に基づけば、釘頭位置自動調整自動化ラインの釘頭位置検査・補正制御装置９０のＣＲＴ７０は、不良データメモリ９１から記憶された検査結果データを読み出して、測定された釘頭位置を釘位置記憶メモリ７２に記憶された予め記憶されている設計位置を読み出した上比較して求めた誤差データを釘頭の生画像ととともに２値画像として表示するものであることは明らかであるから、引用例発明は、「記憶された釘の打込位置とその計測形態とを対応付けた検査結果データを出力して表示する出力手段」を実質的に具備しているということができる。
　　　　　　　　　　　　　　　　　　　　　　　　　　　　　　　　　
６．共通事項
　引用例発明は、メイン移送ライン１、測定ヘッド５５、釘頭位置自動検出装置１０、１１、釘頭位置検査制御装置６０、ライン移送制御装置２０、釘頭位置検査・補正制御装置９０および釘頭補正装置１５等から構成される釘頭位置自動調整自動化ラインにおいて、釘頭の補正をするための遊技機製造の釘打ち込まれ形態の検査を行う装置である一方で、本願補正発明は、手作業で補正するための遊技機製造の釘打ち込まれ形態の検査装置であるから、両者は、釘頭を補正するための遊技機製造の釘打ち込まれ形態の検査装置である点で共通している。
　　　　　　　　　　　　　　　　　　　　　　　　　　　　　
　なお、本願補正発明においては「データー」なる用語が用いられている一方で、引用例発明においては「データ」なる用語が用いられているので、以下、両者は「データ」に統一して用いることとする。
　　　　　　　　　　　　　　　　　　　　　　　　　　　　　　
　上記の実質的具備事項１〜５および共通事項を考慮すると、本願補正発明と引用例発明は、
　　　　　　　　　　　　　　　　　　　　　　　　　　　　　　
　「釘の打ち込まれた遊技盤を位置決め搭載するテーブルと、
　テーブルより上方に設置されかつテーブルに位置決め搭載された遊技盤の釘の打ち込まれ形態を計測し電気的な計測データを出力するセンサーヘッドと、
　テーブルに位置決め搭載された遊技盤の機種に対応する釘打データによる釘の打込位置と順序とに従ってテーブルとセンサーヘッドとを平面内で相対的に平行移動してセンサーヘッドをテーブルに位置決め搭載された遊技盤の所定位置の上方に停止する毎に検査開始をセンサーヘッドに指示する検査指令部と、
　検査指令部から指示された検査開示に伴い、センサーヘッドから出力された計測データを予め設定された基準データとを電気的に比較して釘の打ち込まれ形態に曲がりや打ち込みミスが有るか無いかを判別すると共に計測データが基準データの許容範囲外である際に形態異常信号を出力する形態判定部と、
　形態判定部から出力された形態異常信号に伴い釘打データによる釘の打込位置と順序に基づき形態異常信号の発生の原因となった釘の打込位置とその計測形態とを対応付けた検査結果データを記憶し、記憶された釘の打込位置とその計測形態とを対応付けた検査結果データを出力表示する出力手段と、
　を備え、釘頭を補正するための遊技機製造の釘打ち込まれ形態の検査装置。」の点で一致し、以下の点で相違していると認められる。
　　　　　　　　　　　　　　　　　　　　　　　　　　　　　　　　　　
＜相違点１＞
　本願補正発明が、検査結果データを記憶する形態履歴部を有するのに対して、引用例発明は、単に検査結果データをライン移送制御装置２０およびライン移送制御装置２０を介して釘頭位置検査・補正制御装置９０に送る点。
　　　　　　　　　　　　　　　　　　　　　　　　　　　　　　　　　　
＜相違点２＞
　出力手段が出力表示する検査結果データが、本願補正発明においては、曲がりや打ち込みミスを修正するために人に認識可能な形態であるのに対して、引用例発明においては、単に出力手段に表示されるものであって、人の認識可能な形態であるか否か明確でない点。
　　　　　　　　　　　　　　　　　　　　　　　　　　　　　　　
＜相違点３＞
　釘頭を補正するための遊技機製造の釘打ち込まれ形態の検査装置が、本願補正発明においては、手作業による補正用であるのに対して、引用例発明においては、自動装置による補正用である点。
　　　　　　　　　　　　　　　　　　　　　　　　　　　　　　　　　
（４）判断
　上記相違点について、検討する。
＜相違点１について＞
　引用例の記載事項９の「【００３９】・・・【００４１】・・・この後、シリンダ３４が作動しローラ４１を上昇させて遊技盤Ａをコンベヤ４に移動させる。さらに、ストッパ１４、横送りシリンダ５を作動させて遊技盤Ａをローラチェーンコンベヤ６に送り、釘検査・補正装置１５で停止させる。バーコードリーダーでバーコード番号を読取り、その遊技盤Ａを特定する。この後再度釘頭位置が前記と同様に検査される。このときの釘の位置データは、ライン制御装置２０を介して受けとる。図６に示す釘頭位置検査・補正制御装置９０は、不良データメモリ９１内のデータを元に釘頭位置補正プログラム９２内のプログラムにより釘の頭を修正工具８９により保持して予め決められた量だけ移動させて釘頭位置を補正する。」なる記載に基づけば、不良データメモリ９１は、データを釘頭位置検査・補正制御装置９０に送っているのであるから、不良データメモリ９１は、検査結果のデータである不良データを記憶していることは明らかである。
　また、一般的にマニュアルに示されたタイプ別にトラブル事例に基づいて機器の修復や補正をすることは、パソコン、家庭電気用品、種々の機器、機械や装置の補修・修復時に普通に知体験することであって、加えて、実願平１−９２４１４号（実開平３−３３０４７号）のマイクロフイルムには、作業ラインに配置された不良な車両を不良データに基づいて手作業で補正・修正した後組立作業ラインに戻すこと、特開平８−３１５５６３号公報には、装置の使用時間や記録時間を蓄積して記録しておきそれらの時間が一定時間が経過すると類型化されたメンテナンス事項が表示装置にメンテナンスのために表示されること、特開平２−９６２０５号公報には、異常発生時に異常の態様を表示装置に示すとともにその異常の復旧方法を提示すること、および特開平７−５５９０６号公報には、検査・補修作業時に作業マニュアルを表示装置に表示し、作業結果を記憶し作業結果を総合評価し、検査結果や作業結果を類型別に記憶手段に記憶することが示されている。これらに示されているように、装置等の組立作業の遂行時において、検査を行い、検査結果データを記憶するとともに、その検査結果に基づいて検査結果を類型化して記憶する記憶手段を設け、補正や補修時にその類型化した検査結果を表示して、補正や補修の利便に供することは周知な技術（以下、「周知技術」という。）にすぎず、上記記憶手段を形態履歴部と言い換えできることも明らかである。
　したがって、上記周知技術を参酌しつつ、引用例発明の不良データメモリを、検査結果データを記憶する形態履歴部とすること、すなわち本願補正発明の上記相違点１に係る構成となすことは、当業者が容易になし得る程度のことということができる。
　　　　　　　　　　　　　　　　　　　　　　　　
＜相違点２について＞
　引用例の記載事項９の「【００３９】・・・【００４１】・・・このときの釘の位置データは、ライン制御装置２０を介して受けとる。・・・」なる記載に基づけば、釘頭位置検査・補正制御装置９０は、ライン制御装置２０を介して、釘の位置データを受け取っており、また、同記載事項１０の「【００４３】［その他の実施例］前記実施例では、補正ライン３で釘頭補正装置１５で釘位置を補正しているが、前記説明で理解されるように作業者がマニュアルで補正しても良い。・・・」なる記載および図６に基づけば、釘頭補正装置１５による釘頭の補正に代えて作業者がマニュアルで補正してもよいとされ、かつ、同記載事項６の「【００３０】・・・【００３１】・・・ＣＲＴ７０は、釘頭の生画像、２値画像などを表示するための表示装置であり、インターフェイス７１を介してバス６２に接続されている。釘位置記憶メモリ７２は、設計上の遊技盤Ａの釘の打込み位置が記憶保持されている。」なる記載および図１、図６に基づけば、釘頭位置検査・補正制御装置９０はＣＲＴ７０の表示装置を有しているのであるから、釘頭補正装置１５による釘頭の補正を行わずに作業者が手作業で補正を行う際には、釘頭位置検査・補正制御装置９０のＣＲＴ７０における表示は、作業者のマニュアルによる補正のために利用できることが示唆されていると解される。
　一方、＜相違点１について＞において示したように、装置等の組立作業の遂行時において、検査を行い、検査結果データを記憶するとともに、その検査結果に基づいて検査結果を類型化して記憶する記憶手段を設け、補正や補修時にその類型化した検査結果を表示して、補正や補修の利便に供することは周知技術である。
　そうすると、上記周知技術と引用例に記載された示唆を参酌しつつ、引用例発明の釘頭位置検査・補正制御装置９０のＣＲＴ７０である出力手段において、検査結果データを手作業で曲がりや打ち込みミスを修正するために人に認識可能な形態で出力表示するようにすること、すなわち本願補正発明の上記相違点２に係る構成となすことは、当業者が容易になし得る程度のことということができる。
　　　　　　　　　　　　　　　　　　　　　　　　　　　　　
＜相違点３について＞
　上記＜相違点１について＞で示したように、装置等の組立作業の遂行時において、検査を行い、検査結果データを記憶するとともに、その検査結果に基づいて検査結果を類型化して記憶する記憶手段を設け、補正や補修時にその類型化した検査結果を表示して、補正や補修の利便に供することは周知技術にすぎない。
　そうすると、上記周知技術を参酌して、遊技盤上に打ち込まれた釘頭を補正するための引用例発明の釘頭位置自動調整自動化ラインの釘頭位置検査・補正制御装置を、手作業用の装置とすること、すなわち本願補正発明の上記相違点３に係る構成となすことは、当業者が容易になし得る程度のことということができる。
　　　　　　　　　　　　　　　　　　　　　　　　　　　　　　　　
　ところで、請求人は、『拒絶査定において審査官による〔「テーブル」、「センサーヘッド」、「検査指令部」、「形態判定部」及び「出力手段」については、先の拒絶理由通知書に示した引用文献１記載の発明における作動を考慮すれば、明記されていなくとも、実質的に備えられている事項、又は、当業者ならば設計的に備えさせられる事項であり、「形態履歴部」についても、遊技機製造装置に限らず検査装置一般として、検査結果データの履歴を記憶することは、例示するまでもなく慣用されている手段である〕との主張については、審判長から、「不良個所の釘頭の位置を人によって修正不可能にする」目的、構成、効果の記載された引用文献の提示をまって反論する。』と主張している。
　この主張に対する当審の判断を示す。
　上記の実施的具備事項１〜５および共通事項において示したとおりに、引用例発明は、「テーブル」「センサーヘッド」「検査指令部」「形態判定部」並びに「出力手段」を実質的に備えており、また、「形態履歴部」については＜相違１について＞において示したとおりに、補正や補修時の周知技術にすぎないものである。
　したがって、上記の理由から、請求人の主張を採用できない。
　　　　　　　　　　　　　　　　　　　　　　　　　　　　　
（５）作用効果およびむすび
　よって、本願補正発明は、引用例発明および周知技術に基づいて、当業者が容易に想到することができたものであり、本願補正発明によって奏する効果も、引用例発明および周知技術に基づいて、普通に予測できる範囲内のものであって格別のものがあると認められないから、特許法第２９条第２項により特許を受けることができない。
　　　　　　　　　　　　　　　　　　　　　　　　　　　　　
（６）補正却下の判断
　上記のとおり、本願補正発明は、平成１８年改正前特許法第１７条の２第５項で準用する同法第１２６条第５項の規定に違反するものであるので、平成１７年３月７日付の手続補正は、特許法第１５９条第１項で準用する同法第５３条第１項の規定により却下されるべきものである。
　　　　　　　　　　　　　　　　　　　　　　　　　　　　　　
３．本願発明について
　平成１７年３月７日付の手続補正は上記のとおり却下されているので、平成１６年９月２日付の手続補正書における特許請求の範囲の請求項１に係る発明は、次のとおりに特定されるものである。
　　　　　　　　　　　　　　　　　　　　　　　　　　　　　
　「釘の打ち込まれた遊技盤を位置決め搭載するテーブルと、テーブルより上方に設置されかつテーブルに位置決め搭載された遊技盤の釘の打ち込まれ形態を計測した電気的な計測データーを出力するセンサーヘッドと、テーブルに位置決め搭載された遊技盤の機種に対応する釘打データーによる釘の打込位置と順序とに従ってテーブルとセンサーヘッドとを平面内で相対的に平行移動してセンサーヘッドをテーブルに位置決め搭載された遊技盤の所定位置の上方に停止する毎に検査開始をセンサーヘッドに指示する検査指令部と、検査指令部から指示された検査開示に伴いセンサーヘッドから出力された計測データーを予め設定された基準データーと電気的に比較して釘の打ち込まれ形態に曲がりや打ち込みミスが有るか無いかを判別すると共に計測データーが基準データーの許容範囲外である際に形態異常信号を出力する形態判定部と、形態判定部から出力された形態異常信号に伴い釘打データーによる釘の打込位置と順序に基づき形態異常信号の発生の原因となった釘の打込位置とその計測形態とを対応付けた検査結果データーを記憶する形態履歴部と、形態履歴部に記憶された釘の打込位置とその計測形態とを対応付けた検査結果データーを曲がりや打ち込みミスを修正するために出力表示する出力手段とを備えたことを特徴とする遊技機製造の釘打ち込まれ形態修正装置。」（以下、「本願発明」という。）
　　　　　　　　　　　　　　　　　　　　　　　　　　　　　　　
（１）引用例について
　引用例の記載事項は、上記２．（２）引用例について記載したとおりである。
　　　　　　　　　　　　　　　　　　　　　　　　　　　　　　　　
（２）対比・判断
　本願発明は、上記２．（４）判断で検討した本願補正発明の出力手段から、「人に認識可能な形態で」なる構成を削除したものである。
　そうすると、本願発明の構成要件をすべて含み、さらに他の構成要素を付加したものに相当する本願補正発明が、上記２．（４）判断〜（５）作用効果およびむすびに記載したとおり、引用例発明および周知技術に基づいて、当業者が容易に発明することができたものであるので、特許法第２９条第２項の規定により特許を受けることができないものである。
　したがって、本願発明も、同様の理由により、引用例発明および周知技術に基づいて、当業者が容易に発明をすることができたものである。
　　　　　　　　　　　　　　　　　　　　　　　　　　　　　
（３）むすび
　以上のとおり、本願発明は、引用例発明および周知技術に基づいて、当業者が容易に発明をすることができたものであるから、特許法第２９条第２項の規定により特許を受けることができない。
　よって、結論のとおり審決する。